(57)【要約】      （修正有）【課題】既設のシャワ−ヘッド受け部を利用して浴室に簡易に取り付けることができる浴室用シャワ−ヘッド支持装置を提供する。【解決手段】上方シャワ−ヘッド受け部２と下方シャワ−ヘッド受け部３とに取り付ける浴室用シャワ−ヘッド支持装置１であって、支持部材４に昇降自在に取り付けられた上方移動部材５と下方移動部材５’で前記シャワ−ヘッド受け部２、３に固定し、中間に支持部材４に昇降自在に取り付けられた移動部材15と、この移動部材15を支持部材４に固定する固定手段18と、移動部材15に回動自在に支持された回動部材17と、この回動部材17の先端に取り付けられシャワ−ヘッドＨを受けるシャワ−ヘッド受け部20とで構成したものである。【選択図】図１
2005113605.tif 000002
【特許請求の範囲】
【請求項１】
浴室に設置されたシャワ−ヘッドを受ける上方シャワ−ヘッド受け部と、この上方シャワ−ヘッド受け部の下方位置に設置された下方シャワ−ヘッド受け部とにそれぞれ取り付ける浴室用シャワ−ヘッド支持装置であって、
棒状の支持部材と、
この支持部材に昇降自在に取り付けられた移動部材と、                              この移動部材を前記支持部材に固定する固定手段と、
前記移動部材に回動自在に支持された回動部材と、
この回動部材の先端に取り付けられ、シャワ−ヘッドを受けるシャワ−ヘッド受け部と、
前記支持部材に昇降自在に取り付けられた上方移動部材と、
この上方移動部材を前記支持部材に固定する第１の固定手段と、
この上方移動部材に取り付けられ、前記上方シャワ−ヘッド受け部に当接する上方当接部材と、
この上方当接部材より突出して設けられた上方螺軸と、
この上方螺軸に螺合する上方螺合部材と、
前記支持部材に昇降自在に取り付けられた下方移動部材と、
この下方移動部材を前記支持部材に固定する第２の固定手段と、
この下方移動部材に取り付けられ、前記下方シャワ−ヘッド受け部に当接する下方当接部材と、
この下方当接部材より突出して設けられた下方螺軸と、
この下方螺軸に螺合する下方螺合部材と、
前記上方螺合部材と前記上方当接部材で前記上方シャワ−ヘッド受け部を、前記下方螺合部材と前記下方当接部材で前記下方シャワ−ヘッド受け部を、それぞれ挟持して前記支持部材を前記浴室に設置することができる
ことを特徴とする浴室用シャワ−ヘッド支持装置。
【請求項２】
上方移動部材に取り付けられ、シャワ−ヘッドを受ける第１のシャワ−ヘッド受け部と、
下方移動部材に取り付けられ、シャワ−ヘッドを受ける第２のシャワ−ヘッド受け部と
を設けていることを特徴とする請求項１記載の浴室用シャワ−ヘッド支持装置。
【請求項３】
支持部材の下方に取り付けられ、前記支持部材の長手方向に直交する方向に張り出して設けられた石けんを収納する石けんトレイを備え、この石けんトレイには、水を排出する排出口が設けられていることを特徴とする請求項１又は請求項２記載の浴室用シャワ−ヘッド支持装置。
【発明の詳細な説明】
【技術分野】
【０００１】
本発明は、浴室用シャワ−ヘッド支持装置に係り、特に、浴室に既設のシャワ−ヘッド受け部を利用して浴室に簡易に取り付けることができる浴室用シャワ−ヘッド支持装置に関する。
【背景技術】
【０００２】
浴室にはシャワ−ヘッドを受ける上方シャワ−ヘッド受け部と、この上方シャワ−ヘッド受け部の下方位置に下方シャワ−ヘッド受け部とがそれぞれ設置され、通常、上方シャワ−ヘッド受け部と下方シャワ−ヘッド受け部とは浴室の壁面Ｗに直線状に配置されている（例えば、特許文献１参照）。
【特許文献１】特開２００２−９７８１２号公報（図１のシャワ−フック12ａ、12ｂ参照）。
【発明の開示】
【発明が解決しようとする課題】
【０００３】
しかしながら、シャワ−ヘッドを固定して使用する場合、固定位置が上方シャワ−ヘッド受け部と下方シャワ−ヘッド受け部とに限られるため、特に、介護を必要とする人にとっては使用勝手が悪いという不具合があった。
本発明は、直線状に配置された既設の上方シャワ−ヘッド受け部と下方シャワ−ヘッド受け部とに着目して、上述した不具合を解消するようにした浴室用シャワ−ヘッド支持装置を提供するものである。
【課題を解決するための手段】
【０００４】
上記目的を達成するために、請求項１記載の浴室用シャワ−ヘッド支持装置は、浴室に設置されたシャワ−ヘッドを受ける上方シャワ−ヘッド受け部と、この上方シャワ−ヘッド受け部の下方位置に設置された下方シャワ−ヘッド受け部とにそれぞれ取り付ける浴室用シャワ−ヘッド支持装置であって、棒状の支持部材と、この支持部材に昇降自在に取り付けられた移動部材と、この移動部材を前記支持部材に固定する固定手段と、前記移動部材に回動自在に支持された回動部材と、この回動部材の先端に取り付けられ、シャワ−ヘッドを受けるシャワ−ヘッド受け部と、前記支持部材に昇降自在に取り付けられた上方移動部材と、この上方移動部材を前記支持部材に固定する第１の固定手段と、この上方移動部材に取り付けられ、前記上方シャワ−ヘッド受け部に当接する上方当接部材と、この上方当接部材より突出して設けられた上方螺軸と、この上方螺軸に螺合する上方螺合部材と、前記支持部材に昇降自在に取り付けられた下方移動部材と、この下方移動部材を前記支持部材に固定する第２の固定手段と、この下方移動部材に取り付けられ、前記下方シャワ−ヘッド受け部に当接する下方当接部材と、この下方当接部材より突出して設けられた下方螺軸と、この下方螺軸に螺合する下方螺合部材と、前記上方螺合部材と前記上方当接部材で前記上方シャワ−ヘッド受け部を、前記下方螺合部材と前記下方当接部材で前記下方シャワ−ヘッド受け部を、それぞれ挟持して前記支持部材を前記浴室に設置することができる。
【０００５】
また、請求項２記載の浴室用シャワ−ヘッド支持装置は、請求項１記載の浴室用シャワ−ヘッド支持装置において、上方移動部材に取り付けられ、シャワ−ヘッドを受ける第１のシャワ−ヘッド受け部と、下方移動部材に取り付けられ、シャワ−ヘッドを受ける第２のシャワ−ヘッド受け部とを設けている。
【０００６】
また、請求項３記載の浴室用シャワ−ヘッド支持装置は、請求項１又は請求項２記載の浴室用シャワ−ヘッド支持装置において、支持部材の下方に取り付けられ、前記支持部材の長手方向に直交する方向に張り出して設けられた石けんを収納する石けんトレイを備え、この石けんトレイには、水を排出する排出口が設けられている。
【発明の効果】
【０００７】
請求項１記載の浴室用シャワ−ヘッド支持装置によれば、上方当接部材と上方螺合部材で上方シャワ−ヘッド受け部を、下方当接部材と下方螺合部材で下方シャワ−ヘッド受け部を、それぞれ挟持することができるため、浴室に既設のシャワ−ヘッドを受ける上方シャワ−ヘッド受け部及び下方シャワ−ヘッド受け部を利用して浴室用シャワ−ヘッド支持装置を浴室に簡易に取り付けることができ、しかも、シャワ−ヘッド受け部は、回動部材、移動部材を介して取り付けられているため、移動の自由度が大きく、使用者、特に、介護を必要とする人の位置に合わせて使用することができ、更に、不使用時には、浴室の壁面から突出しないように移動させることができる。
【０００８】
また、請求項２記載の浴室用シャワ−ヘッド支持装置によれば、上述した請求項１記載の発明の効果に加え、移動部材に設けたシャワ−ヘッド受け部を使用しないときには、浴室の壁面から突出しないように移動させ、第１のシャワ−ヘッド受け部又は第２のシャワ−ヘッド受け部を適宜選択して利用することができる。
【０００９】
また、請求項３記載の浴室用シャワ−ヘッド支持装置によれば、上述した請求項１記載の発明の効果に加え、支持部材の下方に取り付けられ、前記支持部材の長手方向に直交する方向に張り出して設けられた石けんを収納する石けんトレイを備え、この石けんトレイには、水を排出する排出口が設けられているため、水はけが良好で、石けんの使用勝手を向上させることができる。
【実施例】
【００１０】
本発明の一実施例の浴室用シャワ−ヘッド支持装置を図面を参照して説明する。
図１及び図２において、１は浴室用シャワ−ヘッド支持装置で、浴室用シャワ−ヘッド支持装置１は、浴室に設置されたシャワ−ヘッドＨを受ける上方シャワ−ヘッド受け部２と、この上方シャワ−ヘッド受け部２の下方位置に設置された下方シャワ−ヘッド受け部３とにそれぞれ取り付けることができるものである。
浴室には、通常、上方シャワ−ヘッド受け部２と下方シャワ−ヘッド受け部３とが浴室の壁面Ｗに直線状に配置されている。言い換えれば、上方シャワ−ヘッド受け部２の下に下方シャワ−ヘッド受け部３が位置している（図１及び図２参照）。
【００１１】
４は棒状の支持部材（例えば、プラスチック製）で、支持部材４の上方には、上方移動部材５が昇降自在に取り付けられている。上方移動部材５は支持部材４の外周を覆うもので、例えば、プラスチック製で形成され、第１の固定手段６により支持部材４に固定されるようになっている。
【００１２】
第１の固定手段６は、例えば、図３、図４、図５（ａ）（ｂ）及び図６（ａ）（ｂ）に示すように、レバ−60の端部61を上方移動部材５に当接させて上方移動部材５のスリット部Ｓを狭める。その結果、上方移動部材５は支持部材４に圧接（圧した状態で接触させること）して支持部材４に固定される。レバ−60は第１のピン62に回動自在に支持されている。第１のピン62は、第２のピン63に取り付けられ、第２のピン63は、上方移動部材５に取り付けられている。
【００１３】
７は上方当接部材で、上方移動部材５に、例えば、ピン70を介して取り付けられ、上方シャワ−ヘッド受け部２に当接するものである。８は外周におねじを有した上方螺軸で、上方螺軸８は上方当接部材７より突出して設けられている。９は上方螺軸８に螺合する上方螺合部材で、上方螺合部材９は上方螺軸８に螺合するめねじ90を有している。
従って、上方当接部材７を上方シャワ−ヘッド受け部２に当接（当接は、例えば、上方当接部材７を上方シャワ−ヘッド受け部２に挿入する。）し、上方螺軸８に螺合する上方螺合部材９を上方当接部材７に向かって移動させて、上方当接部材７と上方螺合部材９で上方シャワ−ヘッド受け部２を挟持して上方移動部材５を上方シャワ−ヘッド受け部２に固定することができる（図３参照）。
【００１４】
10は、上方移動部材５の上方シャワ−ヘッド受け部２の固定側の固定部材で、固定部材10は、レバ−10ａの端部10ｂを上方移動部材５に当接させて上方移動部材５に固定している。レバ−10ａはピン10ｃに回動自在に支持されている。ピン10ｃはピン70の貫通孔を介して取り付けられている。
【００１５】
11はシャワ−ヘッドＨを受ける第１のシャワ−ヘッド受け部で、第１のシャワ−ヘッド受け部11は、上方移動部材５にユニバ−サルジョイントで取り付けられている。ユニバ−サルジョイントは、例えば、第１のシャワ−ヘッド受け部11の取り付け部11ａは上方移動部材５の球体50に回動自在に緩く嵌合して上方移動部材５を任意の位置に固定することができるようになっている。
【００１６】
また、支持部材４の下方には、下方移動部材５’が昇降自在に取り付けられている。    下方移動部材５’は、上方移動部材５と同様、支持部材４の外周を覆うもので、例えば、プラスチック製で形成され、第２の固定手段６’により支持部材４に固定されるようになっている。
【００１７】
第２の固定手段６’は、第１の固定手段６と同様、例えば、図３、図４、図５（ａ）（ｂ）及び図６（ａ）（ｂ）に示すように、レバ−60’の端部61’を下方移動部材５’に当接させて下方移動部材５’のスリット部Ｓ’を狭める。その結果、下方移動部材５’は支持部材４に圧接（圧した状態で接触させること）して支持部材４に固定される。レバ−60’は第１’のピン62’に回動自在に支持されている。第１’のピン62は、第２’のピン63’に取り付けられ、第２’のピン63は、下方移動部材５’に取り付けられている。
【００１８】
７’は下方当接部材で、下方移動部材５’に取り付けられ、下方シャワ−ヘッド受け部３に当接するものである。８’は外周におねじを有した下方螺軸で、下方螺軸８’は下方当接部材７’より突出して設けられている。９’は下方螺軸８’に螺合する下方螺合部材で、下方螺合部材９’は下方螺軸８’に螺合するめねじ90’を有している。
従って、下方当接部材７’を下方シャワ−ヘッド受け部３に当接（当接は、例えば、下方当接部材７’を下方シャワ−ヘッド受け部３に挿入する。）し、下方螺軸８’に螺合する下方螺合部材９’を下方当接部材７’に向かって移動させて、下方当接部材７’と下方螺合部材９’で下方シャワ−ヘッド受け部３を挟持して下方移動部材５’を下方シャワ−ヘッド受け部３に固定することができる（図３参照）。
【００１９】
10’は、下方移動部材５’の下方シャワ−ヘッド受け部３の固定側の固定部材で、固定部材10’は、レバ−10’ａの端部10’ｂを下方移動部材５’に当接させて下方移動部材５’に固定している。レバ−10’ａはピン10’ｃに回動自在に支持されている。ピン10ｃ’はピン70’の貫通孔を介して取り付けられている。
【００２０】
11’はシャワ−ヘッドＨを受ける第２のシャワ−ヘッド受け部で、第２のシャワ−ヘッド受け部11’は、下方移動部材５’にユニバ−サルジョイントで取り付けられている。ユニバ−サルジョイントは、例えば、第２のシャワ−ヘッド受け部11’の取り付け部11’ａは下方移動部材５’の球体50’に回動自在に緩く嵌合して下方移動部材５’を任意の位置に固定することができるようになっている。
【００２１】
また、図７乃至図９に示すように、支持部材４には移動部材15が昇降自在に取り付けられている。移動部材15は上方移動部材５と下方移動部材５’との間に設けられ、支持部材４の外周を覆うもので、例えば、プラスチック製で形成され、後述する回動部材17を支持する回動部材支持部15ａと、回動部材支持部15ａに支持される筒部15ｂと、筒部15ｂの上端に当接する鍔部15ｃとを有している。16は鍔部15ｃと回動部材17の間にあって回動部材17を下方に押さえるスプリング性を有するワッシャ（商品名ウエ−ブワッシャ）である。
【００２２】
移動部材15は固定手段18により支持部材４に固定されるようになっている。固定手段18は、例えば、レバ−18ａの端部18ｂを支持部材４に当接させて移動部材15を支持部材４に固定している。レバ−18ａは筒部15ｂの外周に設けた脚部15ｅ、15ｅに支持されたピン15ｆに回動自在に支持されている。
【００２３】
17は移動部材15に回動自在に支持された回動部材で、この回動部材17の回動は、例えば、支持部材４の長手方向に直交するＸ−Ｙ平面に平行となっており、図１の一点鎖線で示す方向、つまり、水平方向である。
回動部材17は、例えば、ア−ム17ａを支持した支持脚17ｂ、17ｂのベ−スである外筒部17ｃが水平方向に回動するようになっている。
外筒部17ｃは、筒部15ｂの外周を覆う筒体で、外筒部17ｃの下端部は、回動部材支持部15ａの上端部に当接し、外筒部17ｃの下端部に設けた凹凸部Ｕが回動部材支持部15ａの上方端部に設けた凸部Ｔに係止するようになっている。そして、回動部材17はスプリング性を有するワッシャ16により若干上下方向に移動でき、回動部材17を適宜の位置に回動した後、凹凸部Ｕを凸部Ｔに係止させ、回動状態を保持するようになっている。
また、回動部材17は、支持部材４の長手方向に直交するＸ−Ｙ平面を横断する方向にと回動できるようになっており、図１の二点鎖線で示す方向、つまり、垂直方向に回動できる。
即ち、ア−ム17ａは支持脚17ｂ、17ｂに設けた穴Ｈ、Ｈに通して支持脚17ｂ、17ｂに支持されるピンＰに回動自在に支持される。また、ア−ム17ａの垂直方向の回動部の両端面には、凹部Ｕ’が、この凹部Ｕ’に対向すると共に、凹部Ｕ’に係止する凸部Ｔ’が、凸部Ｔ’を凹部Ｕ’に向かって作用する弾性部材（例えば、スプリング）Ｄ、Ｄがそれぞれ設けられている。
【００２４】
従って、ア−ム17ａを手で垂直方向に作用させると、凸部Ｔ’は係止している凹部Ｕ’を乗り越えてア−ム17ａは移動でき、ア−ム17ａを適宜の位置に回動した後、凸部Ｔ’を凹部Ｕ’に係止させ、回動状態を保持するようになっている。
そして、回動部材17（例えば、ア−ム17ａ）の先端には、シャワ−ヘッドＨを受けるシャワ−ヘッド受け部20が取り付けられている。
シャワ−ヘッド受け部20は、図10に示すように、回動部材17（例えば、ア−ム17ａ）にユニバ−サルジョイントで取り付けられている。ユニバ−サルジョイントは、例えば、シャワ−ヘッド受け部20の取り付け部20ａは球体Ｑに回動自在に緩く嵌合すると共に、球体Ｑの取り付け部Ｂは50’はア−ム17ａの先端側に設けられた球体Ｑ’に回動自在に緩く嵌合して、シャワ−ヘッド受け部20を任意の位置に固定することができるようになっている。
【００２５】
なお、図１に示す30は石けんトレイで、石けんトレイ30は支持部材４の下方に取り付けられ、支持部材４の長手方向に直交する方向に張り出して設けられて、石けんを収納するものであり、この石けんトレイ30には、水を排出する排出口30ａ、歯ブラシ立て30ｂがそれぞれ設けられている。
【００２６】
従って、図１に示す浴室用シャワ−ヘッド支持装置１を浴室に既設の上方シャワ−ヘッド受け部２、下方シャワ−ヘッド受け部３に取り付けるには、昇降自在な上方移動部材５及び下方移動部材５’を既設の上方シャワ−ヘッド受け部２、下方シャワ−ヘッド受け部３の位置に合わせて、適宜の位置に、上方移動部材５及び下方移動部材５’を固定した後、上方当接部材７を上方シャワ−ヘッド受け部２に当接させ、当接後、上方当接部材７と上方螺合部材９で上方シャワ−ヘッド受け部２を挟持し、同様に、下方当接部材７’を下方シャワ−ヘッド受け部３に当接させ、当接後、下方当接部材７’と下方螺合部材９’で下方シャワ−ヘッド受け部３を挟持して行う。
その後、使用態様により、例えば、座った状態で使用したい場合には、移動部材15を図11に示す位置に移動させ、固定手段18により支持部材４に固定し、固定後、回動部材17を回動させる。
また、立った状態で使用したい場合には、移動部材15を図12に示す位置に移動させ、固定手段18により支持部材４に固定し、固定後、回動部材17を回動させる。
また、移動部材15に設けたシャワ−ヘッド受け部20を使用しないときには、回動部材17を回動して浴室の壁面から突出しないように移動させ、第１のシャワ−ヘッド受け部11又は第２のシャワ−ヘッド受け部11’を適宜選択して利用することができる。
【００２７】
なお、上述の実施例では、固定手段18は、レバ−18ａの端部18ｂを支持部材４に当接させて移動部材15を支持部材４に固定しているが、場合により、固定手段18は、図13及び図14に示すように、例えば、レバ−18ａの端部18ｂを移動部材15の回動部材支持部15ａに当接させて移動部材15に設けたスリット部Ｓ”を狭めるようにして固定しても良い。
即ち、移動部材15は支持部材４に圧接（圧した状態で接触させること）して支持部材４に固定される。レバ−18ａは第１のピン18ｃに回動自在に支持されている。第１のピン18ｃは、第２のピン18ｄに取り付けられ、第２のピン18ｄは、移動部材15に取り付けられている。
【図面の簡単な説明】
【００２８】
【図１】図１は、本発明の一実施例の浴室用シャワ−ヘッド支持装置の概略的斜視図である。
【図２】図２は、図１の浴室用シャワ−ヘッド支持装置の取り付け状態の壁面を断面して示す概略的側面図である。
【図３】図３は、図１の上方移動部材、下方移動部材の取り付け状態の壁面を断面して示す概略的側面図である。
【図４】図４は、図１の一部を分解して示す概略的一部分解斜視図である。
【図５】図５（ａ）は、図３の５−５線による概略的断面図であり、図５（ｂ）は、図５（ａ）のレバ−を回動させた状態の概略的断面図である。
【図６】図６（ａ）は、図５の６−６線による概略的断面図であり、図６（ｂ）は、図６（ａ）のレバ−を回動させた状態の概略的断面図である。
【図７】図７は、図２の回動部材を拡大して示す概略的一部拡大側面図である。
【図８】図８は、図７の８−８線による概略的断面図である。
【図９】図９は、図７の回動部材を分解して示す概略的分解斜視図である。
【図１０】図１０は図９のシャワ−ヘッド受け部の動きを示すもので、（ａ）は、シャワ−ヘッド受け部の動作前の状態を、（ｂ）は（ａ）の矢印方向にシャワ−ヘッド受け部を動作させた状態の概略的側面図である。
【図１１】図１１は、使用状態を示す概略的側面図である。
【図１２】図１２は、図１１と異なる他の使用状態を示す概略的側面図である。
【図１３】図１３は、図７と異なる他の実施例の概略的一部拡大側面図である。
【図１４】図１４は、図１３の１４−１４線による概略的断面図である。
【符号の説明】
【００２９】
１  ・・・・・浴室用シャワ−ヘッド支持装置
２  ・・・・・上方シャワ−ヘッド受け部
３  ・・・・・下方シャワ−ヘッド受け部
４  ・・・・・支持部材
７  ・・・・・上方当接部材
７’・・・・・下方当接部材
９  ・・・・・上方螺合部材
９’・・・・・下方螺合部材
【図１】
2005113605.tif 000003
【図２】
2005113605.tif 000004
【図３】
2005113605.tif 000005
【図４】
2005113605.tif 000006
【図５】
2005113605.tif 000007
【図６】
2005113605.tif 000008
【図７】
2005113605.tif 000009
【図８】
2005113605.tif 000010
【図９】
2005113605.tif 000011
【図１０】
2005113605.tif 000012
【図１１】
2005113605.tif 000013
【図１２】
2005113605.tif 000014
【図１３】
2005113605.tif 000015
【図１４】
2005113605.tif 000016